(57)【要約】【課題】特殊再生モードから通常再生モードに移行する際にシーンチェンジを検出し視聴者が見たいシーンから適確に再生するのに好適な再生装置を提供することを目的とする。【解決手段】記憶媒体１１に記録されたデータを接続された表示装置に通常再生モードで再生可能な再生装置において、通常再生モードでの再生とは異なる速度で再生する特殊再生手段と、シーンチェンジ検出部３８と、制御部３１とを有し、制御部３１は、特殊再生モード中に通常再生モードに移行する信号を受けた場合、シーンチェンジ検出を行いシーンチェンジが検出された位置が通常再生モードでの再生開始位置となるように制御することより上記課題を解決する。【選択図】図１
2009010620.tif 000002
【特許請求の範囲】
【請求項１】
記憶媒体に記録されたデータを接続された表示装置に通常再生モードで再生可能な再生装置において、
通常再生モードでの再生とは異なる速度で再生する特殊再生モード再生手段と、シーンチェンジを認識する手段と、再生開始位置制御手段とを有し、
前記再生開始位置制御手段は、特殊再生モード中に通常再生モードに移行する信号を受けた場合、シーンチェンジ検出を行いシーンチェンジが検出された位置が通常再生モードでの再生開始位置となるように制御すること特徴とする再生装置。
【請求項２】
請求項１に記載の再生装置において、位置補正量を記憶する手段を有し、
前記再生開始位置制御手段は、特殊再生モード中に通常再生モードに移行する信号を受けた場合、当該信号を受けた位置からあらかじめ定めた前記位置補正量分補正し、当該補正した位置からシーンチェンジ検出を行うように制御することを特徴とする再生装置。
【請求項３】
請求項２に記載の再生装置において、前記補正した位置からのシーンチェンジ検出は、前記特殊再生モードの方向と異なる方向でシーンチェンジ検出を行うことを特徴とする再生装置。
【請求項４】
請求項２に記載の再生装置において、前記補正した位置からのシーンチェンジ検出は、前記特殊再生モードの方向と同じ方向でシーンチェンジ検出を行うことを特徴とする再生装置。
【請求項５】
請求項２から請求項４のいずれか一項に記載の再生装置において、前記位置補正量は視聴者により設定できることを特徴とする再生装置。
【請求項６】
請求項２から請求項４のいずれか一項に記載の再生装置において、位置補正用テーブルを記憶する手段を有し、前記位置補正量は前記位置補正用テーブルに従って決定されることを特徴とする再生装置。
【請求項７】
請求項６に記載の再生装置において、前記位置補正用テーブルには、前記特殊再生モードの特殊再生速度の違いに対する位置補正量のデータが保存されていることを特徴とする再生装置。
【請求項８】
請求項６又は請求項７に記載の再生装置において、前記位置補正用テーブルには、補正モードに対する位置補正量のデータが保存されていることを特徴とする再生装置。
【請求項９】
請求項６から請求項８までのいずれか一項に記載の再生装置において、前記位置補正用テーブルには、前記あらかじめ定めた年齢の範囲ごとに位置補正量のデータが保存されていることを特徴とする再生装置。
【請求項１０】
請求項６から請求項９までのいずれか一項に記載の再生装置において、視聴者が補正量の数値を入力する手段を有し、前記位置補正用テーブルは、視聴者が位置補正量の数値を入力することが可能であること特徴とする再生装置。
【請求項１１】
請求項６から請求項１０までのいずれか一項に記載の再生装置において、前記位置補正用テーブルは、視聴者ごとに設定されていることを特徴とする再生装置。
【請求項１２】
請求項２に記載の再生装置において、特殊再生モードから通常再生モード移行する際の履歴を記憶する手段を有し、前記位置補正量は、当該履歴に基いて決定することを特徴する再生装置。
【請求項１３】
請求項１から請求項１２までのいずれか一項に記載の再生装置において、通常再生ボタンと、シーンチェンジ再生ボタンを有し、
前記再生開始位置制御手段は、前記シーンチェンジ再生ボタンが押された信号を受けた場合のみ、前記シーンチェンジ検出を行いシーンチェンジが検出された位置が通常再生モードでの再生開始位置となるように制御すること特徴とする再生装置。
【請求項１４】
請求項１から請求項１２までのいずれか一項に記載の再生装置において、再生ボタンと、当該再生ボタンが通常再生ボタンとなるかシーンチェンジ再生ボタンとなるかを切り替える切替手段を有し、
前記再生開始位置制御手段は、前記シーンチェンジ再生ボタンが押された信号を受けた場合のみ、前記シーンチェンジ検出を行いシーンチェンジが検出された位置が通常再生モードでの再生開始位置となるように制御すること特徴とする再生装置。
【発明の詳細な説明】
【技術分野】
【０００１】
本発明は、再生装置に関し、特に、特殊再生モードから通常再生モードに移行する際にシーンチェンジを検出し視聴者が見たいシーンから適確に再生するのに好適な再生装置に関する。
【背景技術】
【０００２】
通常、視聴者は、ＤＶＤプレイヤーやＨＤＤレコーダーなどを再生するとき、見たいシーンを早送り再生や早戻し再生等の特殊再生により探すことが多い。その際、視聴者は見たいシーンが表示された瞬間、通常再生に戻す操作をする。
【０００３】
一方、特許文献１には、特殊再生から通常再生への移行に関する発明が記載されている。さらに、特許文献２には、早送り再生中、視聴者が表示したいシーンを認識してからボタンを押すまでのタイムラグに対応し、指定量だけ補正を行う発明が記載されている。
【０００４】
図１０は、従来技術における再生開始の第１の例を示す。図１０では、再生ボタンが押されたことを検知した時点から再生を開始するようになっている。図１１は、従来技術における再生開始の第２の例を示す。図１１では、特許文献２に記載の発明に対応する図であり、指定量だけ補正を行うようになっている。
【特許文献１】特開２００５−２４４４５３号公報
【特許文献２】特開２００１−３０９２３１号公報
【発明の開示】
【発明が解決しようとする課題】
【０００５】
しかし、視聴者が見たいシーンでぴったりと特殊再生から再生を始めることは難しい。例えば、早送り再生時、見たいシーンが表示されてから通常再生に戻るため、見たいシーンを最初から見るためには少し戻らなければならないことが多くある。また、視聴者が早送り再生中、見たいシーンが画面に表示されてから通常再生に戻すボタンを押すタイミングにはずれが生じることから、ほとんどの場合で見たいシーンよりも先で通常再生に戻る。これらは特殊再生の速度が速いほどずれが大きい。これは、図１０の例において、表示したい画面認識と再生の開始のずれをみれば分かる。
【０００６】
また、特許文献１に記載の発明は、その移行時間を短縮することが目的であり、表示位置を補正することが目的でない。さらに、特許文献２に記載の発明は、表示したいシーンの先頭がすでに過ぎていることに対してシーンチェンジなどシーンの先頭を探すものではない。図１１のように、毎回、視聴者が見たいシーンの先頭になるとは限らない。また、ユーザーは画面の切り替わりの最初から見たい場合も多いはずである。
【０００７】
上記課題に鑑みて、本発明は、特殊再生モードから通常再生モードに移行する際にシーンチェンジを検出し視聴者が見たいシーンから適確に再生するのに好適な再生装置を提供することを目的とする。
【課題を解決するための手段】
【０００８】
上記目的を達成するため、本発明の再生装置は、記憶媒体に記録されたデータを接続された表示装置に通常再生モードで再生可能な再生装置において、通常再生モードでの再生とは異なる速度で再生する特殊再生モード再生手段と、シーンチェンジを認識する手段と、再生開始位置制御手段とを有し、前記再生開始位置制御手段は、特殊再生モード中に通常再生モードに移行する信号を受けた場合、シーンチェンジ検出を行いシーンチェンジが検出された位置が通常再生モードでの再生開始位置となるように制御することを行うことを特徴とする。さらに本発明の再生装置は、位置補正量を記憶する手段を有し、前記再生開始位置制御手段は、特殊再生モード中に通常再生モードに移行する信号を受けた場合、当該信号を受けた位置からあらかじめ定めた前記位置補正量分補正し、当該補正した位置からシーンチェンジ検出を行うように制御することを特徴とする。さらに本発明の再生装置は、前記補正した位置からのシーンチェンジ検出は、前記特殊再生モードの方向と異なる方向でシーンチェンジ検出を行うことを特徴とする。さらに本発明の再生装置は、前記補正した位置からのシーンチェンジ検出は、前記特殊再生モードの方向と同じ方向でシーンチェンジ検出を行うことを特徴とする。
【０００９】
さらに本発明の再生装置は、前記位置補正量は視聴者により設定できることを特徴とする。さらに本発明の再生装置は、位置補正用テーブルを記憶する手段を有し、前記位置補正量は前記位置補正用テーブルに従って決定されることを特徴とする。さらに本発明の再生装置は、前記位置補正用テーブルには、前記特殊再生モードの特殊再生速度の違いに対する位置補正量のデータが保存されていることを特徴とする。さらに本発明の再生装置は、前記位置補正用テーブルには、補正モードに対する位置補正量のデータが保存されていることを特徴とする。さらに本発明の再生装置は、前記位置補正用テーブルには、前記あらかじめ定めた年齢の範囲ごとに位置補正量のデータが保存されていることを特徴とする。さらに本発明の再生装置は、視聴者が補正量の数値を入力する手段を有し、前記位置補正用テーブルは、視聴者が位置補正量の数値を入力することが可能であること特徴とする。さらに本発明の再生装置は、前記位置補正用テーブルは、視聴者ごとに設定されていることを特徴とする。
【００１０】
さらに本発明の再生装置は、特殊再生モードから通常再生モード移行する際の履歴を記憶する手段を有し、前記位置補正量は、当該履歴に基いて決定することを特徴する。さらに本発明の再生装置は、通常再生ボタンと、シーンチェンジ再生ボタンを有し、前記再生開始位置制御手段は、前記シーンチェンジ再生ボタンが押された信号を受けた場合のみ、前記シーンチェンジ検出を行いシーンチェンジが検出された位置が通常再生モードでの再生開始位置となるように制御すること特徴とする。さらに本発明の再生装置は、再生ボタンと、当該再生ボタンが通常再生ボタンとなるかシーンチェンジ再生ボタンとなるかを切り替える切替手段を有し、前記再生開始位置制御手段は、前記シーンチェンジ再生ボタンが押された信号を受けた場合のみ、前記シーンチェンジ検出を行いシーンチェンジが検出された位置が通常再生モードでの再生開始位置となるように制御すること特徴とする。
【発明の効果】
【００１１】
本発明によれば、再生装置において、特殊再生モードから通常再生モードに移行する際にシーンチェンジを検出し視聴者が見たいシーンから適確に再生することができる。
【発明を実施するための最良の形態】
【００１２】
本発明を実施するための最良の形態を説明する。
【００１３】
図１は、本発明の再生装置の一実施形態を示すブロック図である。１１はＤＶＤやＨＤＤなどの記憶媒体である。その記録媒体１１は１２のモーターによって回転させられる。
【００１４】
ピックアップ１３は、記録媒体１１の信号を読み取り、電気信号に変換し、復調部１４へ送る。復調部１４は、記録用フォーマットを元のフォーマットに戻し、誤り訂正部１５へ送る。誤り訂正１５は、読み取りエラーを訂正し、そのデータをマルチプレクサ１６へ送る。マルチプレクサ１６は、送られてきた１本のストリームから映像、音声、字幕を分離し、ビデオデコーダ１７、オーディオデコーダ１８へ送る。ビデオデコーダ１７とオーディオデコーダ１８は、圧縮されたデジタル信号を元のデジタル信号へデコードする。ＮＴＳＣ/ＰＡＬエンコーダ１９はビデオデコーダ１７でデコードされた色差信号をＮＴＳＣ/ＰＡＬの形式にエンコードする。Ｄ/Ａ２０は色差デジタル信号をアナログコンポーネントに、ＮＴＳＣ/ＰＡＬデジタル信号をアナログコンポジット信号へ変換し表示装置に送る。ＨＤＭＩ＿ＴＸ２１は映像、音声をＨＤＭＩフォーマットに変換し表示装置２２に送る。ＴＶ２２は表示装置である。
【００１５】
制御部３１は、ユーザーインターフェイス部３５や位置補正部３４からの指示に従ってピックアップポジションを制御する。各種記憶部３２は、制御部の現在の再生速度や補正モードを記憶する。ここで、補正モードとは、ユーザーが現在設定している補正量に対するモードで、例えば、「多い、普通、少ない、補正なし」、「１０代以下、２０代、・・・、５０代、６０代以上」などの補正モードが考えられる。補正テーブル記憶部３３は、各種スピードや補正モードに対する補正量のテーブルを記憶している。位置補正部３４は、制御部３１からの連絡に対して、開始位置補正データを返す。
【００１６】
例えば、早送り再生時、ユーザーインターフェイス３５から通常再生への変更連絡が制御部３１に送られたとき、制御部３１は通常再生に戻ることを位置補正部３４に連絡する。
位置補正部３４は、各種記憶部３２から現在のスピードやユーザーが設定している補正モードに関するデータをもらう。それらに対して最適な再生位置補正データを補正データテーブル記憶部３３から取得し、制御部３１に連絡する。もちろん、位置補正部３４は、現在のスピードと補正モードから最適な補正データを演算してもよい。
【００１７】
３６はリモコン受光部、３７はリモコンである。３８は画面切り替わり（シーンチェンジ）検出部である。
【００１８】
本発明は、視聴者が特殊再生から通常再生に戻した場合、通常再生開始位置をシーンチェンジの場所まで補正することで視聴者が見たいシーンから適確に再生するものである。画面の切り替わり（シーンチェンジ）を探す際、例えば早送り再生から再生ボタンが押された時であれば、（ａ）押された場所から画面の切り替わりを探す、（ｂ）押された場所から規定値巻き戻し、その後、戻しながら画面の切り替わりを探す、（ｃ）押された場所から規定値巻き戻し、その後、送りながら画面の切り替わりを探す、各方法が考えられる。
【００１９】
図２は、本発明の再生装置の再生開始の第１の形態を示す図である。図２のように、シーンチェンジ検出部でシーンの切り替わり画面を検出する手段を有し、特殊再生モードから通常再生モードに移行する際、再生移行ボタンが押された場所から、シーンチェンジ画面まで遡って通常再生を開始することによって、視聴者は見たいシーンの先頭から視聴することが可能になる。もちろん、シーンチェンジ画面からさらに遡って再生を開始してもよいし、シーンチェンジ画面からさらにユーザーが設定した量だけ遡って再生を開始しても良い。また、図２は早送りの例であるが、視聴者が早戻し再生機能を使って見たいシーンを探している場合は、再生移行ボタンが押されたところから進んでシーンチェンジを検出する。
【００２０】
シーンチェンジ画面検出には各種方法があり、特に規定しない。例えば、ＡＰＬの変動によって検出したり、周波数成分の変動によって検出したり、ＭＰＥＧ画像の場合ＧＯＰを使用したり、ブロークンリンクを使用するなどの方法が考えられる。
【００２１】
図３は、本発明の再生装置の再生開始の第２の形態を示す図である。図３では、シーンチェンジ検出開始位置補正後、再生移行ボタンを押す前の特殊再生方向と逆方向でシーンチェンジ検出を行う。
【００２２】
図４は、本発明の再生装置の再生開始の第３の形態を示す図である。図４では、シーンチェンジ検出開始位置補正後、再生移行ボタンを押す前の特殊再生方向と同じ方向でシーンチェンジ検出を行う。
【００２３】
図３や図４のように、特殊再生モードから通常再生モードに移行する際、シーンチェンジ検出開始位置を補正し、そこからシーンチェンジ検出を始めることで、視聴者が見たいシーンからより適確に再生することが可能となる。そして、これらのシーンチェンジ検出開始位置の補正は、位置補正用テーブルによりその補正量（補正時間や補正フレーム数）を決定できる。すなわち、位置補正データ用テーブルを記憶し、特殊再生モードから通常再生モードへ移行する際、補正モードに従って開始位置を補正することができる。位置補正用テーブルの例は図５〜９に示されている。
【００２４】
図５は、本発明における位置補正用テーブルの第１の例を示す図表である。図５では、特殊再生速度に対する補正時間のテーブルが示されている。これは、特殊再生中の再生速度（読取速度）を補正データテーブル記憶部３３に記憶し、特殊再生モードから通常再生モードに移行する際、その特殊再生速度に従って開始位置を補正するものである。図５の例では、特殊再生速度が速くなるほど補正時間が大きくなっている。例えば、視聴者が早送り再生で見たいシーンを探していて、見たいシーンを認識し、特殊再生モードから通常再生モードに移行する際、その早送り再生速度が速いほど、見たいシーンを行き過ぎる量が大きくなる可能性が高い。また、視聴者が認識した画像からリモコンボタンを押した時の画像までのタイムラグも大きくなる。これらを考慮したものである。
【００２５】
図６は、本発明における位置補正用テーブルの第２の例を示す図表である。図６では、補正モード（量）（「大きい」「普通」「小さい」「なし」）に対する補正量（補正時間）のデータが示されている。
【００２６】
図７は、本発明における位置補正用テーブルの第３の例を示す図表である。図７では、年齢に対する補正量データが示され、年齢の範囲が高いほど、補正時間が長くなっている。これは、早送り再生などで見たいシーンを探している時、見たいシーンが表示されてから通常再生移行ボタンを押すまでのタイムラグは年齢によって異なるからである。
【００２７】
図８は、本発明における位置補正用テーブルの第４の例を示す図表である。図８では、特殊再生速度ごとに、ユーザー設定補正時間が示されている。これは、視聴者が補正量を入力し、そのデータをテーブルに記憶させるものである。早送り再生などで見たいシーンを探している時、見たいシーンが表示されてから通常再生移行ボタンを押すまでのタイムラグは個人差があることを考慮したものである。なお、視聴者が補正量を入力する場合は、図８の特殊再生速度以外でも実現可能である。
【００２８】
図９は、本発明における位置補正用テーブルの第５の例を示す図表である。例えば、視聴者が再生装置を使う際に、自分が誰であるかを再生装置に入力することで、自分用の補正データを使用することができる。図９の例における上の表は、補正ＮＯ．ごとに特殊再生速度と、補正モード（量）と、補正モード（年齢）の条件が組み合わせた場合の補正時間が設定されている。そして、図９の下の表では、視聴者（Ａ〜Ｄさん）ごとに補正時間又は補正ＮＯ．を決定して記憶させておくことで、視聴者を入力するだけでその設定を選択することが可能となる。
【００２９】
このほかに、記憶部３２に再生履歴を記憶しておき、シーンチェンジ検出開始位置までの補正量を、再生履歴に基いて決定することが可能となる。
【００３０】
また、リモコン３７の再生ボタンを押して、これを検知した場合、図２から図４のシーンチェンジ検出による補正後の位置から再生を開始することとすることができる。また、通常の再生ボタン（制御部３１が再生ボタンを押した信号を受けた時点から再生を開始するためのボタン）とは、別に、図２から図４のシーンチェンジ検出による再生位置補正後に再生を開始するためのボタンを設けてもよい。さらに、再生ボタンは一つとしても、何らかの切替により、そのボタンが、通常の再生ボタンとなるか、シーンチェンジ検出による補正後に再生を開始するためのボタンとなるかの切替が可能なボタンとすることもできる。
【図面の簡単な説明】
【００３１】
【図１】本発明の再生装置の一実施形態を示すブロック図である。
【図２】本発明の再生装置の再生開始の第１の形態を示す図である。
【図３】本発明の再生装置の再生開始の第２の形態を示す図である。
【図４】本発明の再生装置の再生開始の第３の形態を示す図である。
【図５】本発明における位置補正用テーブルの第１の例を示す図表である。
【図６】本発明における位置補正用テーブルの第２の例を示す図表である。
【図７】本発明における位置補正用テーブルの第３の例を示す図表である。
【図８】本発明における位置補正用テーブルの第４の例を示す図表である。
【図９】本発明における位置補正用テーブルの第５の例を示す図表である。
【図１０】従来技術における再生開始の第１の例を示す。
【図１１】従来技術における再生開始の第２の例を示す。
【符号の説明】
【００３２】
１１  記憶媒体（ＤＶＤやＨＤＤ等）
１２  モーター
１３  ピックアップ
１４  復調部
１５  誤り訂正
１６  デマルチプレクサ（ストリーム分離）
１７  ビデオデコーダ（ＭＰＥＧデコーダ）
１８  オーディオデコーダ
１９  ＮＴＳＣ/ＰＡＬエンコーダ
２０  Ｄ／Ａ
２１  ＨＤＭＩ＿ＴＸ
２２  ＴＶ（表示装置）
３１  制御部
３２  記憶部
３３  補正データテーブル記憶部
３４  位置補正部
３５  ユーザーインターフェイス部
３６  リモコン受光部
３７  リモコン
３８  シーンチェンジ検出部
【図１】
2009010620.tif 000003
【図２】
2009010620.tif 000004
【図３】
2009010620.tif 000005
【図４】
2009010620.tif 000006
【図５】
2009010620.tif 000007
【図６】
2009010620.tif 000008
【図７】
2009010620.tif 000009
【図８】
2009010620.tif 000010
【図９】
2009010620.tif 000011
【図１０】
2009010620.tif 000012
【図１１】
2009010620.tif 000013